(57)【要約】      （修正有）【課題】割れ易い製品も保護され、製品が汚れたり内部緩衝材の屑や埃が付着することもなく、不要になったときにはリサイクルさせることができ、環境に優しい包装用緩衝材を提供する。【解決手段】包装用緩衝材１は、ポリエチレンフィルムからなる袋２の中に、内部緩衝材３として袋２のほぼ一杯の大きさで一体に繋がった状態で長手方向に全面に亘って細かい切り込みが入って交互に波状になっている段ボールを上部開口部２ａから入れて、袋２が若干膨らむ程度の空気が入った状態で上部開口部２ａを加熱シールして密封したものである。【選択図】図１
2005178834.tif 000002
【特許請求の範囲】
【請求項１】
プラスティックフィルムからなる袋にリサイクル可能な内部緩衝材を入れて前記袋の容量の約３分の２以下の空気を前記袋内に入れて密封してなることを特徴とする包装用緩衝材。
【請求項２】
前記内部緩衝材として段ボールを用いたことを特徴とする請求項１に記載の包装用緩衝材。
【請求項３】
前記段ボールは前記袋のほぼ一杯の大きさで、前記段ボールが一体に繋がった状態で長手方向に全面に亘って細かい切り込みが入って交互に波状になっていることを特徴とする請求項２に記載の包装用緩衝材。
【請求項４】
前記内部緩衝材として生分解性ポリマーを用いたことを特徴とする請求項１に記載の包装用緩衝材。
【請求項５】
前記プラスティックフィルムとしてポリエチレンフィルムまたはポリプロピレンフィルムを用いたことを特徴とする請求項１乃至請求項４のいずれか１つに記載の包装用緩衝材。
【請求項６】
前記袋が若干膨らむ程度の空気が入った状態で密封してなることを特徴とする請求項１乃至請求項５のいずれか１つに記載の包装用緩衝材。
【発明の詳細な説明】
【技術分野】
【０００１】
本発明は、通信販売等で商品を段ボール箱等に梱包する際や割れものを包んで箱に収納しておく際に用いられる包装用緩衝材に関するものである。
【背景技術】
【０００２】
通信販売等で一定の大きさの段ボール箱等に異なる個数・容積の製品を梱包して配送する場合には、異なる容積の隙間が生ずるのでかかる隙間を埋めて、配送中に製品ががたついて製品同士がぶつかって傷ついたり壊れたりするのを防止しなければならない。このために、従来紙を細く切ったもの（シュレッダーによるもの等）やウレタンフォームを細く切ったものを隙間に詰めたり、発泡スチロールの細かい粒子を隙間に充填して、緩衝材として梱包していた。
【発明の開示】
【発明が解決しようとする課題】
【０００３】
しかしながら、上記従来の技術においては、紙やウレタンフォームの細かい切り屑や発泡スチロールの細かい粒子が製品に付着して取扱い難く、また配送後は不要になるこれらの緩衝材は細かいため廃品回収等でリサイクルすることも困難であり、ウレタンフォームや発泡スチロールは燃やすと環境に有害なダイオキシン類を発生するので、燃えるゴミとして出すことも好ましくないという問題点があった。
【０００４】
そこで、本発明は、割れ易い製品も保護され、製品が汚れたり内部緩衝材の屑や埃が付着することもなく、不要になったときにはプラスティックフィルムからなる袋を破いて内部緩衝材を取出しそれぞれリサイクルさせることができる環境に優しい包装用緩衝材を提供することを課題とするものである。
【課題を解決するための手段】
【０００５】
請求項１の発明にかかる包装用緩衝材は、プラスティックフィルムからなる袋にリサイクル可能な内部緩衝材を入れて前記袋の容量の約３分の２以下の空気を前記袋内に入れて密封してなるものである。
【０００６】
請求項２の発明にかかる包装用緩衝材は、請求項１の構成において、前記内部緩衝材として段ボールを用いたものである。
【０００７】
請求項３の発明にかかる包装用緩衝材は、請求項２の構成において、前記段ボールは前記袋のほぼ一杯の大きさで、前記段ボールが一体に繋がった状態で長手方向に全面に亘って細かい切り込みが入って交互に波状になっているものである。
【０００８】
請求項４の発明にかかる包装用緩衝材は、請求項１の構成において、前記内部緩衝材として生分解性ポリマーを用いたものである。
【０００９】
請求項５の発明にかかる包装用緩衝材は、請求項１乃至請求項４のいずれか１つの構成において、前記プラスティックフィルムとしてポリエチレンフィルムまたはポリプロピレンフィルムを用いたものである。
【００１０】
請求項６の発明にかかる包装用緩衝材は、請求項１乃至請求項５のいずれか１つの構成において、前記袋が若干膨らむ程度の空気が入った状態で密封してなるものである。
【発明の効果】
【００１１】
請求項１の発明にかかる包装用緩衝材は、プラスティックフィルムからなる袋にリサイクル可能な内部緩衝材を入れて、袋の容量の約３分の２以下の空気を袋内に入れて密封してなるものである。これによって、割れ易い陶器・ガラス等の製品も内部緩衝材と空気によって二重に保護されるので、ダンボール箱等に入れて配送したり収納したりする場合にも割れる心配がない。また、袋には容量の約３分の２以下の空気しか入っていないので袋を折り曲げることもでき、製品を１または２以上の包装用緩衝材で包んでセロハンテープ等で止めて梱包することもできる。
【００１２】
さらに、包装用緩衝材はプラスティックフィルムからなる袋に包まれているので、製品が汚れたり内部緩衝材の屑や埃が付着することもなく、取扱い性に優れている。そして、包装用緩衝材が不要になったときには、プラスティックフィルムからなる袋を破いて内部緩衝材を取出し、内部緩衝材とプラスティックフィルムとをそれぞれリサイクルさせることができる。
【００１３】
このようにして、割れ易い製品も内部緩衝材と空気によって二重に保護され、プラスティックフィルムからなる袋に包まれているので製品が汚れたり内部緩衝材の屑や埃が付着することもなく、不要になったときにはプラスティックフィルムからなる袋を破いて内部緩衝材を取出し、内部緩衝材とプラスティックフィルムとをそれぞれリサイクルさせることができる環境に優しい包装用緩衝材となる。
【００１４】
請求項２の発明にかかる包装用緩衝材は、内部緩衝材として段ボールを用いたものである。段ボールは様々な硬さ・厚さのものがあり、クッション性があって内部緩衝材として適している。そして、廃品回収に出せるのでリサイクルさせることも容易である。
【００１５】
このようにして、割れ易い製品も内部緩衝材としての段ボールと空気によって二重に保護され、袋に包まれているので段ボールの屑や埃が付着することもなく、不要になったときには袋を破いて段ボールを取出し、段ボールとプラスティックフィルムとをそれぞれリサイクルさせることができる環境に優しい包装用緩衝材となる。
【００１６】
請求項３の発明にかかる包装用緩衝材は、内部緩衝材として袋のほぼ一杯の大きさで、一体に繋がった状態で長手方向に全面に亘って細かい切り込みが入って交互に波状になっている段ボールを用いたものである。このような段ボールの加工は、専用の機械に通常の板状の段ボールを入れることによって行われ、「段ネット」とも呼ばれる。これによって、全面に細かい切り込みが入って交互に波状になった段ボールは柔らかくなり、よりクッション性に優れたものとなる。そして、袋のほぼ一杯の大きさを有するので、このクッション性が製品に直接作用して保護する。また、全面に切り込みが入っていても一体に繋がっているので廃品回収に出すことができ、リサイクルさせることも容易である。
【００１７】
このようにして、割れ易い製品も内部緩衝材としてのクッション性に優れた段ボールと空気によって二重に保護され、袋に包まれているので段ボールの屑や埃が付着することもなく、不要になったときには袋を破いて段ボールを取出し、段ボールとプラスティックフィルムとをそれぞれリサイクルさせることができる環境に優しい包装用緩衝材となる。
【００１８】
請求項４の発明にかかる包装用緩衝材は、内部緩衝材として生分解性ポリマーを用いたものである。
【００１９】
ここで、生分解性ポリマーとは、生体内で或いは微生物の作用によって分解されるポリマーの総称で、加水分解によって水、二酸化炭素、メタン等に分解される。天然生分解性ポリマーとしてはコラーゲン・澱粉等の蛋白質や多糖類があり、合成生分解性ポリマーとしてはポリグリコール酸・ポリ乳酸・ポリエチレンスクシナート等の脂肪族ポリエステルが挙げられる。
【００２０】
これらの生分解性ポリマーを粒状或いは塊状にしてプラスティックフィルムからなる袋に充填して密封すれば、生分解性ポリマーと空気の二重のクッションで製品を保護することができ、不要になったときは袋を破いて中の生分解性ポリマーを土の上にばら撒けば、微生物の作用によって水、二酸化炭素、メタン等の無害な物質に分解されて消滅してしまうので、リサイクルに出す必要もない。
【００２１】
このようにして、割れ易い製品も内部緩衝材としての生分解性ポリマーと空気によって二重に保護され、袋に包まれているので生分解性ポリマーの屑や埃が付着することもなく、不要になったときには袋を破いて生分解性ポリマーを土の上にばら撒けば無害な物質に生分解されて消滅し、プラスティックフィルムはリサイクルさせることができる環境に優しい包装用緩衝材となる。
【００２２】
請求項５の発明にかかる包装用緩衝材は、袋を構成するプラスティックフィルムとしてポリエチレンフィルムまたはポリプロピレンフィルムを用いたものである。これらのポリオレフィンフィルムは透明若しくは白色半透明で、中に入っている内部緩衝材が何かを識別することができ、不要になったときに適切な処理を行うことができる。そして、袋自体はプラスティックフィルムとしてリサイクルに出しても良いし、焼却しても有害なダイオキシン類は発生しないので、燃えるゴミとして処分することもできる。
【００２３】
このようにして、袋の素材としてポリエチレンフィルムまたはポリプロピレンフィルムを用いたことによって、不要になったときに袋をリサイクルに出すことも燃えるゴミとして処分することもできる環境に優しい包装用緩衝材となる。
【００２４】
請求項６の発明にかかる包装用緩衝材は、プラスティックフィルム袋が若干膨らむ程度の空気が入った状態で密封してなるものである。プラスティックフィルム袋に空気を入れ過ぎると（容量の約３分の２以下の空気であっても）、折り曲げたり丸めたりしたときに袋が空気で張り詰めた状態となり、無理に隙間等に押し込んで梱包すると、薄いプラスティックフィルム袋では配送途中に破れる恐れがある。また、プラスティックフィルム袋に空気を入れ過ぎると内部緩衝材の効果が現れ難くなり、二重のクッション効果が半減してしまう。
【００２５】
これに対して、プラスティックフィルム袋が若干膨らむ程度の空気が入った状態で密封したものは、折り曲げても丸めても袋にはまだ余裕があり、隙間等に押し込んで梱包しても破れる心配はない。また、内部緩衝材と空気とによる二重のクッション効果が充分に現れる。
【００２６】
このようにして、割れ易い製品も内部緩衝材と空気によって二重に保護され、プラスティックフィルムからなる袋に包まれているので製品が汚れたり内部緩衝材の屑や埃が付着することもなく、不要になったときにはプラスティックフィルムからなる袋を破いて内部緩衝材を取出し、内部緩衝材とプラスティックフィルムとをそれぞれリサイクルさせることができる環境に優しい包装用緩衝材となる。
【発明を実施するための最良の形態】
【００２７】
以下、本発明の実施の形態について、図１乃至図３を参照して説明する。
【００２８】
図１は本発明の実施の形態にかかる包装用緩衝材の全体構成を示す斜視図である。図２（ａ）は本発明の実施の形態にかかる包装用緩衝材の内部緩衝材としての段ボールを示す斜視図、（ｂ）は密封する前のプラスティックフィルム袋を示す斜視図である。図３は本発明の実施の形態にかかる包装用緩衝材の使用方法の一例を示す斜視図である。
【００２９】
図１に示されるように、本実施の形態にかかる包装用緩衝材１は、プラスティックフィルム袋としてのポリエチレンフィルムからなる袋２の中に、内部緩衝材として袋２のほぼ一杯の大きさで一体に繋がった状態で長手方向に全面に亘って細かい切り込みが入って交互に波状になっている段ボール３を上部開口部２ａから入れて、袋２が若干膨らむ程度の空気が入った状態で上部開口部２ａを加熱シールして密封したものである。これによって、包装用緩衝材１は、袋２の中に閉じ込められた空気と段ボール３との二重のクッション性を有する緩衝材となり、商品・製品を柔らかく保護する。また、袋２の中には若干の空気しか入っていないので、包装用緩衝材１は折り曲げたり丸めたりすることができ、梱包用の箱の隙間に詰め込むこともできる。
【００３０】
次に、内部緩衝材３とプラスティックフィルム袋２を別々に示して、図２を参照して説明する。図２（ａ）に示されるように、内部緩衝材としての一体に繋がった状態で長手方向に全面に亘って細かい切り込みが入って交互に波状になっている段ボール３は、通常の板状の段ボールを専用の機械に入れて作製され、「段ネット」とも呼ばれて通常の段ボールよりずっと柔らかい緩衝材として働く。
【００３１】
一方、図２（ｂ）に示されるように、ポリエチレンフィルム袋２は白色の半透明の筒状に成形されたポリエチレンフィルムを上端と下端で加熱シールしてなるものである。ここでは、まだ内部緩衝材としての段ボール３が入っていないので、上部開口部２ａはシールされておらず、開放された状態になっている。ポリエチレンフィルム袋２の幅及び長さは段ボール３とほぼ同じで段ボール３が楽に入れられる大きさで、上部開口部２ａから段ボール３をポリエチレンフィルム袋２の全体に拡がるように入れて、ポリエチレンフィルム袋２が若干膨らむ程度の空気が入った状態で上部開口部２ａを加熱シールして密封することによって、図１に示されるような包装用緩衝材１となる。
【００３２】
次に、本実施の形態にかかる包装用緩衝材１の使用例について、図３を参照して説明する。図３に示されるように、この例においては形状の異なる製品Ｓ１，Ｓ２を段ボール箱５に詰めて梱包するために包装用緩衝材１を使用している。まず、段ボール箱５の底に包装用緩衝材１を敷き詰め、続いて直方体の製品Ｓ１を段ボール箱５に入れて、製品Ｓ１の側面との間に包装用緩衝材１を２枚挟み、製品Ｓ１の両端には包装用緩衝材１を１枚ずつ押し込んで製品Ｓ１がずれないようにする。次に、円筒形の製品Ｓ２を２個、それぞれ包装用緩衝材１で包んで段ボール箱５に入れ、段ボール箱５との隙間には包装用緩衝材１を２枚挟み、製品Ｓ１との隙間には包装用緩衝材１を折り曲げて押し込む。そして、段ボール箱５の蓋と製品Ｓ１，Ｓ２との間に隙間がある場合には、製品Ｓ１，Ｓ２の上に適当な枚数の包装用緩衝材１を被せて段ボール箱５の蓋を閉じ、ガムテープ等で止める。
【００３３】
このようにして、本実施の形態にかかる包装用緩衝材１を用いることによって製品Ｓ１，Ｓ２が割れ易い製品であっても、内部緩衝材としての段ボール３と空気によって二重に保護され、ポリエチレンフィルムからなる袋２に包まれているので、製品Ｓ１，Ｓ２が汚れたり内部緩衝材としての段ボール３の屑や埃が付着することもない。
【００３４】
そして、製品Ｓ１，Ｓ２を受け取った側で梱包材が必要ない場合には、段ボール箱５は畳んで段ボールとして廃品回収等に出し、包装用緩衝材１は全て袋２を破いて中の段ボール３を取出して段ボール箱５と一緒に廃品回収等に出し、袋２はプラスティックフィルムとしてリサイクルに出しても良いし、燃えるゴミとして焼却処分しても良い。
【００３５】
このようにして、本実施の形態にかかる包装用緩衝材１は、不要になったときにはポリエチレンフィルムからなる袋２を破いて内部緩衝材としての段ボール３を取出し、段ボール３とポリエチレンフィルムとをそれぞれリサイクルさせることができる環境に優しい包装用緩衝材となる。
【００３６】
本実施の形態においては、内部緩衝材として、袋２のほぼ一杯の大きさで一体に繋がった状態で長手方向に全面に亘って細かい切り込みが入って交互に波状になっている段ボール（段ネット）３を用いた例について説明したが、内部緩衝材としては通常の段ボールや生分解性ポリマーを始めとして、他にもリサイクル可能なものであれば様々な素材を用いることができる。
【００３７】
また、本実施の形態においては、プラスティックフィルム袋としてポリエチレンフィルムからなる袋２を用いた例について説明したが、プラスティックフィルム袋としては他にもポリプロピレンフィルムを始めとして、柔軟性があって燃やしても有害物質を発生しないもの若しくはリサイクルできるものであれば、どのようなプラスティックフィルムを用いても良い。
【００３８】
本発明を実施するに際しては、包装用緩衝材のその他の部分の構成、形状、数量、材質、大きさ、接続関係等についても、本実施の形態に限定されるものではない。
【図面の簡単な説明】
【００３９】
【図１】図１は本発明の実施の形態にかかる包装用緩衝材の全体構成を示す斜視図である。
【図２】図２（ａ）は本発明の実施の形態にかかる包装用緩衝材の内部緩衝材としての段ボールを示す斜視図、（ｂ）は密封する前のプラスティックフィルム袋を示す斜視図である。
【図３】図３は本発明の実施の形態にかかる包装用緩衝材の使用方法の一例を示す斜視図である。
【符号の説明】
【００４０】
１  包装用緩衝材
２  袋
３  内部緩衝材
【図１】
2005178834.tif 000003
【図２】
2005178834.tif 000004
【図３】
2005178834.tif 000005